(57)【要約】【課題】着座者の乗り降りの際に邪魔にならないシートベルト案内装置を提供する。【解決手段】シートベルト案内装置２１は、着座者１２の尻に敷かれる座ベース部２２と、座ベース部２２の幅方向両側部から幅方向外側へ延びて、幅方向内側に折り曲げ可能な側部フラップ２３と、側部フラップ２３の背面に取り付けられて、シートベルトの腰ベルト部分１４を受け入れて案内するベルト案内部材２４とを備える。【選択図】図３
2010120425.tif 000002
【特許請求の範囲】
【請求項１】
着座者の尻に敷かれる座ベース部と、
前記座ベース部の幅方向両側部から幅方向外側へ延びて、幅方向内側に折り曲げ可能な側部フラップと、
前記側部フラップの背面に取り付けられて、シートベルトの腰ベルト部分を受け入れて案内するベルト案内部材とを備える、シートベルト案内装置。
【請求項２】
前記座ベース部のうち前記側部フラップよりも下側の部分から幅方向両側へ張り出している底部フラップをさらに備え、
前記底部フラップは、座ベース部と側部フラップとの境界部から幅方向外側へ突出するとともに、底部フラップの幅方向外側端部が前記ベルト案内部材の下方部分と連結される、請求項１に記載のシートベルト案内装置。
【請求項３】
前記ベルト案内部材は、前記側部フラップおよび前記底部フラップと協働して三角形を形成して起立する、請求項２に記載のシートベルト案内装置。
【請求項４】
前記ベルト案内部材および前記底部フラップが着脱可能に連結される、請求項２または３に記載のシートベルト案内装置。
【請求項５】
前記ベルト案内部材および前記側部フラップが着脱可能に連結される、請求項１〜４のいずれかに記載のシートベルト案内装置。
【請求項６】
前記側部フラップは弾性素材で形成される、請求項１〜５のいずれかに記載のシートベルト案内装置。
【請求項７】
前記側部フラップの前後方向寸法が、前記ベルト案内部材の前後方向寸法よりも大きい、請求項１〜６のいずれかに記載のシートベルト案内装置。
【請求項８】
前記座ベース部は、車両の座席の座面上に載置されるマットの形態を有している請求項１〜７のいずれかに記載のシートベルト案内装置。
【請求項９】
前記座ベース部は、車両の座席の座面上に載置されるブースターシートの形態を有している、請求項１〜７のいずれかに記載のシートベルト案内装置。
【請求項１０】
前記座ベース部は、車両の座席の座部を形成する、請求項１〜７のいずれかに記載のシートベルト案内装置。
【請求項１１】
前記マットの形態の座ベース部の底面に滑り止め防止部材が貼着されている、請求項８に記載のシートベルト案内装置。
【発明の詳細な説明】
【技術分野】
【０００１】
本発明は、車両のシートベルトを適切な位置に案内するための補助装置に関するものである。
【背景技術】
【０００２】
車両に搭乗して乗員用座席に着座する着座者は、生命を保護するためにシートベルトの着用が義務つけられている。車両に備え付けのシートベルトは一般に、着座者の肩から腰にかけて斜めに掛け渡される肩ベルトと、腰およびお腹を取り巻くように掛け渡される腰ベルトとを有する。
【０００３】
ところで、着座者が妊婦である場合など、何らかの理由によりお腹が圧迫されることを避けなければならない場合がある。このような場合であっても、着座者のシートベルト着用を可能にする技術としては従来、例えば、米国特許第５，２５７，８５４号明細書（特許文献１）、特開昭６３−２２２９５６号公報（特許文献２）および特表平４−５０３１９９号公報（特許文献３）などが知られている。これら特許文献１〜３の技術は、シートベルトの腰ベルト部分を着座者のお腹から離隔させるシートベルト補助具であるが、いずれも、着座者の股の間に腰ベルト部分を係止しなければならず、スカートなどの衣服を着用する妊婦にとっては非常に使い辛いという問題があった。
【０００４】
このような問題を解消するための技術として、特開２００３−２００８１５号公報（特許文献４）に記載のごとき技術が知られている。特許文献４に記載のシートベルト補助装置は、シートベルトの腰ベルト部分を後方から支持するベルト支持部を、着座者の尻を支持するシートクッションの前方部で左右それぞれに取り付けたものである。
【特許文献１】米国特許第５，２５７，８５４号明細書
【特許文献２】特開昭６３−２２２９５６号公報
【特許文献３】特表平４−５０３１９９号公報
【特許文献４】特開２００３−２００８１５号公報
【発明の開示】
【発明が解決しようとする課題】
【０００５】
しかし、特許文献４に記載された従来のようなベルト支持部にあっては、以下に説明するような問題を生ずる。つまり、着座者の両側部からベルト支持部が上方へ立ち上がっているため、人が車両の扉を開けて座席に乗り降りする際に、ベルト支持部が邪魔になってしまう。また着座者が妊婦ではない場合には、ベルト支持部がやはり邪魔になってしまう。
【０００６】
本発明は、上述の実情に鑑み、着座者の着座中はシートベルトの腰ベルト部分を案内し、かつ、着座者が車両の扉を開けて座席に乗り降りする際に邪魔にならないシートベルトの案内装置を提供することを目的とする。
【課題を解決するための手段】
【０００７】
この目的のため本発明によるシートベルト案内装置は、着座者の尻に敷かれる座ベース部と、座ベース部の幅方向両側部から幅方向外側へ延びて、幅方向内側に折り曲げ可能な側部フラップと、側部フラップの背面に取り付けられて、シートベルトの腰ベルト部分を受け入れて案内するベルト案内部材とを備える。ここで、側部フラップの背面とは、側部フラップが幅方向外側へ延びるときの上面および下面のうちの下面であり、側部フラップが折れ曲がって上方へ延びるときの内側面および外側面のうちの外側面であると理解されたい。
【０００８】
かかる本発明によれば、座ベース部の幅方向両側部から幅方向外側へ延びて、幅方向内側に折り曲げ可能な側部フラップと、側部フラップの背面に取り付けられて、シートベルトの腰ベルト部分を受け入れて案内するベルト案内部材とを備えることから、着座者の着座中は側部フラップが幅方向内側に折り曲げられてベルト案内部材が腰ベルト部分を着座者のお腹よりも前方へ案内することが可能になり、着座者のお腹が圧迫されることがない。しかも着座者が車両の扉を開けて座席に乗り降りする際に側部フラップが幅方向外側へ倒れてベルト案内部材が乗り降りの邪魔にならない。また、ベルト案内部材が側部フラップの背面に取り付けられていることから、着座中は幅方向両側の側部フラップが着座者の体を挟むように保持することが可能となり、側部フラップが緩衝材として着座者を優しく包むことができる。
【０００９】
ここで好ましくは、シートベルト案内装置が座ベース部のうち側部フラップよりも下側の部分から幅方向両側へ張り出している底部フラップをさらに備え、底部フラップは座ベース部と側部フラップとの境界部から幅方向外側へ突出するとともに、底部フラップ２７の幅方向外側端部がベルト案内部材の下方部分と連結される。かかる実施形態によれば、座ベース部と側部フラップとの境界部、側部フラップとベルト案内部材との連結部、およびベルト案内部材と底部フラップとの連結部からなる３点を確保して三角形を形成する。したがってベルト案内部材が起立して、着座者は腰ベルト部分を片手で容易にベルト案内部材に係止することができ、取り扱い易さが向上する。
【００１０】
本発明は一実施形態に限定されるものではなく、ベルト案内部材の起立角度は０度を超えて９０度程度までであればよいが、好ましくは、ベルト案内部材は側部フラップおよび底部フラップと協働して三角形を形成して起立すればよい。これにより、着座者が座ベース部の上に腰をおろす際にベルト案内部材が尻に当たることを防止することが可能になり、容易に腰をおろすことができる。
【００１１】
ベルト案内部材は側部フラップおよび底部フラップの双方と常時連結していてもよいが、好ましくは、ベルト案内部材および底部フラップが着脱可能に連結される。あるいは、ベルト案内部材および側部フラップが着脱可能に連結される。あるいは、ベルト案内部材は側部フラップおよび底部フラップの双方と着脱可能に連結していてもよい。
【００１２】
ベルト案内部材および底部フラップが着脱可能に連結される実施形態によれば、ベルト案内部材を底部フラップから取り外すとベルト部材が倒れるので、人が乗り降りするときにベルト部材が邪魔にならない。
【００１３】
ベルト案内部材および側部フラップが着脱可能に連結される実施形態によれば、ベルト案内部材を側部フラップから取り外すとベルト部材が倒れるので、人が乗り降りするときにベルト部材が邪魔にならない。
【００１４】
しかも着座者が妊婦ではない場合にベルト案内部材を底部フラップおよび側部フラップの双方から取り外しておけば、全く邪魔にならない。また、妊婦のお腹が特に大きい場合などには、乗降側（左側の助手席であれば左側）のベルト案内部材を取り外しておけば、全く邪魔にならず、しかも反対側（左側の助手席であれば右側）のベルト案内部材でシートベルトの腰ベルト部分を案内することができ、妊婦のお腹を圧迫することがない。
【００１５】
好ましくは、側部フラップは弾性素材で形成される。かかる実施形態によれば、側部フラップの弾性力によって側部フラップを幅方向外側へ付勢することができ、側部フラップが邪魔になることがない。また側部フラップが緩衝材として着座者の体を優しく保護することができる。
【００１６】
好ましくは、側部フラップの前後方向寸法が、ベルト案内部材の前後方向寸法よりも大きい。かかる実施形態によれば、ベルト案内部材と着座者の体との間に側部フラップを確実に介挿することができ、着座者の体を優しく保護することができる。
【００１７】
好ましくは、座ベース部は、車両の座席の座面上に載置されるマットの形態を有している。かかる実施形態によれば、車両の前方座席および後方座席、そして、すべての車両の乗員用座席に本発明のシートベルト案内装置を持ち込んで使用することができ、お腹の圧迫を回避しつつ着座者を保護することができる。
【００１８】
あるいは、座ベース部は、車両の座席の座面上に載置されるブースターシートの形態を有していてもよい。かかる実施形態によれば、着座者を座面から離隔することが可能になり、着座者と肩ベルト部分との位置関係を調節することができる。したがって着座者が身体の小さい幼児等の場合には、肩ベルト部分が着座者の首に掛け渡されることを好適に防止する。
【００１９】
あるいは、座ベース部は、車両の座席の座部を形成する。かかる実施形態によれば、乗員用座席自身にシートベルト案内装置を実装して、着座者である妊婦は常時、シートベルト案内装置を利用することができ、妊婦の安全性が一層向上する。
【００２０】
座ベース部がマット形状の場合、着座者の尻に敷かれて体重がかかっていることからシートベルト案内装置は容易に移動するものではないが、好ましくは、座ベース部の底面に滑り止め防止部材が貼着されている。かかる実施形態によれば、シートベルト案内装置が座席から滑り落ちることを確実に防止することができる。
【発明の効果】
【００２１】
このように本発明は、座ベース部の幅方向両側部から幅方向外側へ延びて、幅方向内側に折り曲げ可能な側部フラップと、側部フラップの背面に取り付けられて、シートベルトの腰ベルト部分を受け入れて案内するベルト案内部材とを備えることから、着座者が車両の扉を開けて座席に乗り降りする際に側部フラップが幅方向外側へ倒れてベルト案内部材が乗り降りの邪魔にならず、取り扱いに優れる。また、ベルト案内部材が側部フラップの背面にとりつけられていることから、幅方向両側の側部フラップが着座者の体を挟むように保持することが可能となり、側部フラップが緩衝材として着座者を優しく包むことができる。
【発明を実施するための最良の形態】
【００２２】
以下、本発明の実施の形態を、図面に示す実施例に基づき詳細に説明する。
【００２３】
図１は、本実施例になるシートベルト案内装置を示す平面図であり、図２は同実施例のシートベルト案内装置を示す底面図であり、図３および図５は同実施例のシートベルト案内装置を模式的に示す正面図であり、図４は同実施例のシートベルト案内装置の使用状態を示す斜視図である。
【００２４】
車両の座席１１に装備される一般的なシートベルトは、図４に示すように、着座者１２の一方の肩から斜め下方に延びる肩ベルト部分１３と、着座者の下腹部上を延びる腰ベルト部分１４とを有する。車の後部座席では、腰ベルト部分１４のみからなるシートベルトもある。
【００２５】
本実施例のシートベルト案内装置２１は、着座者１２の尻を支持する座席１１の座面１５に載置される。シートベルト案内装置２１は、着座者の尻に敷かれる座ベース部２２と、座ベース部２２の幅方向両側部から幅方向外側へ延びる１対の側部フラップ２３と、側部フラップ２３の背面に取り付けられたベルト案内部材２４とを備える。
【００２６】
側部フラップ２３は座ベース部２２と一体に結合し、小さな外力によって容易に変形可能であるが外力がなくなれば自己形状に復元する弾性素材、例えばスポンジなど腰のある素材、で形成され、平らな板形状である。側部フラップ２３に何ら外力が作用しない状態では、側部フラップ２３は幅方向外側へ延びる。この状態で、側部フラップ２３の背面は下方に向かっている。また側部フラップ２３は、座ベース部２２との境界部２５で幅方向内側に折り曲げ可能である。座ベース部２２および側部フラップ２３は、一体に形成されたマット形状であり、表面にクッション材を有する。このため座ベース部２２は座布団のような快適な座り心地を着座者に与える。座ベース部２２の底面には、滑り止め防止部材２９が貼着されている。滑り止め防止部材２９としては、座面１５に付着しやすい面ファスナー状の織物や、表面の肌理が粗くざらつき感があって座面１５との摩擦係数が大きい素材、具体的には皮革あるいは化学繊維による織物を利用する。
【００２７】
座ベース部２２は平面視で台形状であり、幅方向両側にそれぞれ位置する境界部２５同士の距離は、後側で短く前側で長い。着座者の尻が１対の側部フラップ２３間の後側に位置し、着座者の大腿部が１対の側部フラップ２３間の前側に位置することから、着座者は２本の大腿部を容易に動かすことができる。
【００２８】
ベルト案内部材２４の高さ方向中央部には連結材２８の一方が縫着され、側部フラップ２３の幅方向先端部の背面には連結材２８の他方が縫着されている。連結材２８は雄部材および雌部材を組み合わせたボタンまたはホック、あるいはファスナーおよびスライダーの組み合わせなどでよい。かかる連結材２８によってベルト案内部材２４は側部フラップ２３の背面と着脱可能に連結される。連結された状態でベルト案内部材２４の高さ方向上端部が側部フラップ２３よりも幅方向外側に突出する。ベルト案内部材２４の高さ方向上端部には切り込み２６が設けられる。切り込み２６は、前方に向かって開口し、腰ベルト部分１４を受け入れて、腰ベルト部分１４を着座者のお腹よりも前方へ案内する。
【００２９】
ベルト案内部材２４は、切り込み２６を備えて容易に変形しない板状の芯材と、芯材の両面に配置されたクッション材とを有する。側部フラップ２３の前後方向寸法は、ベルト案内部材２４の前後方向寸法よりも大きい。ベルト案内部材２４は、側部フラップ２３の前後方向中央部に配置される。
【００３０】
シートベルト案内装置２１は、座ベース部２２のうち側部フラップ２３よりも下側の部分から幅方向両側へ張り出している底部フラップ２７をさらに備える。底部フラップ２７は外力によって変形可能であるが外力がなくなれば自己形状に復元する弾性素材、例えば固めのスポンジなど腰の強い素材、で形成され、平らな板形状である。
【００３１】
底部フラップ２７は、座ベース部２２と側部フラップ２３との境界部２５から幅方向外側へ突出するとともに、その幅方向外側端部がベルト案内部材２４の下方部分とファスナー３０で連結される。具体的には、ファスナー３０の一方はベルト案内部材２４の下端部に縫着され、ファスナー３０の他方は底部フラップ２７の幅方向外側縁に縫着され、これらファスナー同士がスライダーで着脱可能に連結される。底部フラップ２７の幅方向内側端は座ベース部２２の底面における幅方向外側端に縫着される。
【００３２】
これによりシートベルト案内装置２１は、座ベース部２２と側部フラップ２３との境界部２５、側部フラップ２３とベルト案内部材２４との連結部になる連結材２８、およびベルト案内部材２４と底部フラップ２７との連結部になるファスナー３０からなる３点を確保して、図３の左側に示すような三角形Ｔを形成する。この結果、ベルト案内部材２４は座面１５から起立する。
【００３３】
なお図３の右側に矢印で示すような外力をベルト案内部材２４に与えると、側部フラップ２３および底部フラップ２７が変形してベルト案内部材２４が容易に倒れる。外力を０にすると、側部フラップ２３および底部フラップ２７が元の形状に復元してベルト案内部材２４は再び起立する。座面１５の幅方向外側から計測したベルト案内部材２４の起立角度αは、図３に示すように２０度〜７０度の範囲にあればよい。
【００３４】
着座者１２である妊婦は、車両の乗り降りの際、片手または尻でベルト案内部材２４を容易に倒すことができることから、本実施例のシートベルト案内装置２１は車両の乗り降りの邪魔にならない。さらに、ベルト案内部材２４が起立することから、妊婦が座ベース部２２に着座すると、腰ベルト部分１４を片手で容易に切り込み２６に通すことが可能になり、取り扱いに優れる。
【００３５】
腰ベルト部分１４は、ベルト案内部材２４によって妊婦のお腹よりも前方に案内されて、妊婦の骨盤と大腿部との付け根部分を通過する。したがって本実施例のシートベルト案内装置２１によれば、腰ベルト部分１４が妊婦のお腹を圧迫することがない。また、シートベルトの腰ベルト部分１４をきつく締めてベルト案内部材２４が幅方向内側へ倒れる場合、ベルト案内部材２４と妊婦の大腿部との間に側部フラップ２３が介在することから、幅方向両側の側部フラップ２３が妊婦の骨盤と大腿部との付け根部分を挟むように保持することが可能となり、側部フラップ２３が緩衝材として妊婦を優しく包むことができる。
【００３６】
また、着座者１２が妊婦でない場合、図５の左側に示すように連結材２８の連結を解くことによって三角形Ｔは形成されず、側部フラップ２３は自己の復元力によって幅方向外側へ倒れる。これにより着座者が車両に乗り降りする際の邪魔にならない。連結材２８に代えてファスナー３０の連結を解くことによっても三角形Ｔは形成されず、側部フラップ２３は自己の復元力によって幅方向外側へ倒れる。これにより着座者が車両に乗り降りする際の邪魔にならない。
【００３７】
あるいは、図５の右側に示すように連結材２８およびファスナー３０双方の連結を解き、ベルト案内部材２４を取り外し、座ベース部２２を一般的な座布団として利用してもよい。
【００３８】
また着座者１２が妊婦であったり妊婦でなかったりするなど、人が入れ替わる場合、乗り降りする側（車両の前方左席であれば左側）の連結材２８の連結を解き、乗り降りする側と反対側（車両の前方左席であれば右側）のベルト案内部材２４を起立させておいてもよい。ベルト案内部材２４が図５の左側に示すようにファスナー３０で確りと底部フラップ２７と連結していることから、着座者１２の着座中にベルト案内部材２４が脱落することはない。
【００３９】
かかる場合、乗り降りする側と反対側のベルト案内部材２４のみで、腰ベルト部分１４を妊婦のお腹よりも前方に案内してもよい。
【００４０】
なお図には示さなかったが、シートベルト案内装置２１が底部フラップ２７を備えていなくても、三角形Ｔが形成されない点を除いて、腰ベルト部分１４を着座者１２のお腹から離隔させることができ、しかも着座者１２が車両の扉を開けて座席１１に乗り降りする際に側部フラップ２３が幅方向外側へ倒れてベルト案内部材２４が乗り降りの邪魔にならず、着座中は側部フラップ２３が緩衝材として着座者１２を優しく包むことができる。
【００４１】
次に本発明の他の実施例を説明する。図６は本発明の他の実施例になるシートベルト案内装置３１を示す斜視図である。この実施例につき、上述した実施例と共通する構成については同一の符号を付して説明を省略し、異なる構成について以下に説明する。この実施例では、シートベルト案内装置３１の座ベース部は、着座者の尻を支持する座席の座面に載置されるブースターシート３２である。ブースターシート３２は上下方向厚みが大きいブロック形状の芯材を有し、着座者の身体を座面から離隔することができる。あるいは、ブースターシート３２は、ブロック形状の芯材の上面にマット形状の座ベース部２２を取り付けたものであってもよい。シートベルト案内装置３１もシートベルト案内装置２１と同様の機能を備える。
【００４２】
次に本発明の他の実施例を説明する。図７は本発明の他の実施例になるシートベルト案内装置４１を示す斜視図である。この実施例につき、上述した実施例と共通する構成については同一の符号を付して説明を省略し、異なる構成について以下に説明する。この実施例では、シートベルト案内装置４１の側部フラップ２３の根元が座面１５に直接、縫着されている。つまりシートベルト案内装置４１の座ベース部は、着座者の尻を支持する座席の座面１５である。このため、１対の側部フラップ２３，２３の根元と座面１５との境界部２５は、平面視でハの字形状に開いて配置され、１対の側部フラップ２３，２３同士の距離は後側で小さく前側で大きい。
【００４３】
シートベルト案内装置４１のベルト案内部材２４もまた、図７には表れない連結材２８を介して側部フラップ２３の背面に取り付けられ、ファスナー３０で座面１５と連結する。つまり座面１５がシートベルト案内装置２１でいうところの底部フラップ２７を兼用する。シートベルト案内装置４１もシートベルト案内装置２１と同様の機能を備える。
【００４４】
ところで上述した実施例によれば、着座者１２の尻に敷かれる座ベース部２２と、座ベース部２２の幅方向両側部から幅方向外側へ延びて、幅方向内側に折り曲げ可能な側部フラップ２３と、側部フラップ２３の背面に取り付けられて、シートベルトの腰ベルト部分１４を受け入れて案内するベルト案内部材２４とを備えることから、着座者１２の着座中は側部フラップ２３が幅方向内側に折り曲げられてベルト案内部材２４が腰ベルト部分１４を案内し、着座者１２のお腹が圧迫されることがない。しかも着座者１２が車両の扉を開けて座席１１に乗り降りする際に側部フラップ２３が幅方向外側へ倒れてベルト案内部材２４が乗り降りの邪魔にならない。また、ベルト案内部材２４が側部フラップ２３の背面に取り付けられていることから、着座中は幅方向両側の側部フラップ２３が着座者１２の体を挟むように保持することが可能となり、側部フラップ２３が緩衝材として着座者１２の腰部および大腿部を優しく包むことができる。
【００４５】
また上述した実施例は、座ベース部２２のうち側部フラップ２３よりも下側の部分から幅方向両側へ張り出している底部フラップ２７をさらに備え、底部フラップ２７は境界部２５から幅方向外側へ突出するとともに、底部フラップ２７の幅方向外側端部がベルト案内部材２４の下方部分とファスナー３０で連結されることから、図３に示すように三角形Ｔを形成して、ベルト案内部材２４を起立させることが可能になる。したがって、着座者１２は腰ベルト部分１４を片手で容易にベルト案内部材２４の切り込み２６に係止することができ、取り扱い易さが向上する。
【００４６】
具体的には、側部フラップ２３および底部フラップ２７と三角形Ｔを形成するベルト案内部材２４の起立角度αが２０〜７０度となることにより、腰ベルト部分１４を容易に切り込み２６に係止させるとともに、ベルト案内部材２４を幅方向外側へ容易に倒すことができる。
【００４７】
ベルト案内部材２４は側部フラップ２３に縫着されていてもよいが、上述した実施例によれば、ベルト案内部材２４および側部フラップ２３は連結材２８をそれぞれ有し、これら連結材２８，２８同士で着脱可能に連結される。これにより、着座者１２がベルト案内部材２４を起立させておきたくない場合は、連結材２８の連結を解けば三角形Ｔが形成されず、ベルト案内部材２４を幅方向外側へ倒しておくことが可能になる。したがって、着座者１２の乗り降りする際にベルト案内部材２４が邪魔になることがない。
【００４８】
また、ベルト案内部材２４は底部フラップ２７に縫着されていてもよいが、上述した実施例によれば、ベルト案内部材２４および底部フラップ２７はファスナー３０をそれぞれ有し、これらファスナー３０，３０同士がスライダーで着脱可能に連結される。着座者１２がベルト案内部材２４を起立させておきたくない場合は、ファスナー３０の連結を解けば三角形Ｔが形成されず、ベルト案内部材２４を幅方向外側へ倒しておくことが可能になる。したがって、着座者１２の乗り降りする際にベルト案内部材２４が邪魔になることがない。
【００４９】
また、着座者１２が妊婦ではない場合、連結材２８およびファスナー３０の双方の連結を解いてベルト案内部材２４をシートベルト案内装置２１，３１，４１から取り外しておけば、ベルト案内部材２４が全く邪魔にならない。
【００５０】
また上述した実施例によれば、側部フラップ２３は弾性素材で形成されることから、側部フラップ２３を幅方向外側へ付勢して着座者１２が側部フラップ２３を容易に倒すことが可能になり、しかも、側部フラップ２３が緩衝材として着座者１２の大腿部および尻を優しく保護することができる。
【００５１】
また上述した実施例によれば、側部フラップ２３の前後方向寸法が、ベルト案内部材２４の前後方向寸法よりも大きいことから、ベルト案内部材２４と着座者１２との間に側部フラップ２３を確実に介挿することができ、着座者１２の体を優しく保護することができる。
【００５２】
また上述した実施例によれば、シートベルト案内装置２１の座ベース部２２は、車両の座席１１の座面１５上に載置されるマットの形態を有していることから、車両の前方座席および後方座席、そして、すべての車両の乗員用座席にシートベルト案内装置２１を載置して使用することができ、お腹の圧迫を回避しつつ着座者１２を保護することができる。
【００５３】
あるいは座ベース部は、図６に示すように車両の座席１１の座面１５上に載置されるブースターシート３２の形態を有していてもよい。これにより着座者を座面１５から離隔させて、肩ベルト部分１３の高さ位置を調整することが可能になる。
【００５４】
また上述したシートベルト案内装置４１は、座席１１の座部の座面１５に直接取り付けられ、座ベース部が車両の座席１１の座部を形成することから、乗員用座席１１自身にシートベルト案内装置を実装して、着座者である妊婦は常時、シートベルト案内装置を利用することができ、妊婦の安全性が一層向上する。
【００５５】
座ベース部２２およびブースターシート３２は着座者１２の体重によって座面１５に押し付けられているため、通常において座面１５から滑り落ちることはまず有り得ないが、滑り落ちないとは断言できない。上述した実施例によれば、座ベース部２２およびブースターシート３２の底面に滑り止め防止部材２９が貼着されていることから、シートベルト案内装置２１，３１が座面１５から滑り落ちることを確実に防止することができる。
【００５６】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【図面の簡単な説明】
【００５７】
【図１】本実施例になるシートベルト案内装置を示す平面図である。
【図２】同実施例のシートベルト案内装置を示す底面図である。
【図３】同実施例のシートベルト案内装置を模式的に示す正面図である。
【図４】同実施例のシートベルト案内装置の使用状態を示す斜視図である。
【図５】同実施例のシートベルト案内装置を模式的に示す正面図である。
【図６】他の実施例になるシートベルト案内装置を示す斜視図である。
【図７】他の実施例になるシートベルト案内装置を示す斜視図である。
【符号の説明】
【００５８】
１１  座席、１２  着座者、１３  肩ベルト部分、１４  腰ベルト部分、１５  座面、２１  シートベルト案内装置、２２  座ベース部、２３  側部フラップ、２４  ベルト案内部材、２５  境界部、２６  切り込み、２７  底部フラップ、２８  連結材、２９  滑り止め防止部材、３０  ファスナー、３１  シートベルト案内装置、３２  ブースターシート、４１  シートベルト案内装置。
【図１】
2010120425.tif 000003
【図２】
2010120425.tif 000004
【図３】
2010120425.tif 000005
【図４】
2010120425.tif 000006
【図５】
2010120425.tif 000007
【図６】
2010120425.tif 000008
【図７】
2010120425.tif 000009